(57)【要約】      （修正有）【課題】切断したときのマルチシート片が発生せず、しかも十字形状に切断するときの切断形状を容易に可変できるような構造としながら、かつ安価なマルチシート孔あけ器を提供する。【解決手段】支柱１と、この支柱１の先端部１ａから他端部方向に向かって連続的に支柱１の中心軸から外方に広がる形状の切刃３ａを有し支柱１に固定された内側固定刃３と、この内側固定刃３の切刃３ａに対向する位置に切刃４ａを有し、内側固定刃３の所定位置３ｂを支点として回動可能に保持された外側回動刃４とからなる一対のシート切刃５と、外側回動刃４を所定の回動位置で固定するための回動刃固定部７とを有し、一対のシート切刃５が複数個、支柱１の円周上に配置され、複数の外側回動刃４が回動固定部７により所定の回動位置で固定した状態でマルチシート８に線状の切断部を形成する構成からなる。【選択図】図１
0003197381.tif 000002
【実用新案登録請求の範囲】
【請求項１】
支柱と、
前記支柱の先端部から他端部方向に向かって連続的に前記支柱の中心軸から外方に広がる形状の切刃を有し、前記支柱に固定された内側固定刃と、前記内側固定刃の前記切刃に対向する位置に切刃を有し、前記内側固定刃の所定位置を支点として回動可能に保持された外側回動刃とからなる一対のシート切刃と、
前記外側回動刃を所定の回動位置で固定するための回動刃固定部とを有し、
前記一対のシート切刃が複数個、前記支柱の円周上に配置され、前記複数の外側回動刃が前記回動固定部により所定の回動位置で固定した状態でマルチシートに線状の切断部を形成することを特徴とするマルチシート孔あけ器。
【請求項２】
前記支柱の柄部分に固定保持するための円形ハンドルをさらに設けたことを特徴とする請求項1に記載のマルチシート孔あけ器。
【請求項３】
前記支柱が伸縮棒からなることを特徴とする請求項1または2に記載のマルチシート孔あけ器。
【請求項４】
前記支柱の前記回動固定部近傍の表面に、前記外側回動刃の回動角度を示す目盛を設けたことを特徴とする請求項1から3までのいずれか1項に記載のマルチシート孔あけ器。
【考案の詳細な説明】
【技術分野】
【０００１】
本考案は野菜の栽培時に利用するマルチシートに孔をあける器具に関する。
【背景技術】
【０００２】
玉葱等の苗を孔あきマルチシートに植える場合、既に孔のあいた孔あきマルチシートを購入するか、孔あけ器を用い孔のあいてないマルチシートに孔をあけ植えている。一般に孔は円形であり、植え付ける苗よりも大きな面積とすることが多い。このような円形の孔あきマルチシートを使う場合には、苗が大きく育って孔あき部全体を覆うようになるまでは、地面には太陽光が差し込むので雑草等が生えやすい。このために、これらの雑草を除去する必要があるが、マルチシートが邪魔をして抜き取る作業に手間がかかる。また、作物を植えるための畝は、幅、高さあるいは大きさなども様々であるので、孔あきマルチシートを購入した場合、既に空いている孔の位置と苗を植え付けたい畝の位置とが一致しないことが多く、無駄な孔が生じてしまうという課題を有する。
一方、畝の形状に合わせて、孔なしマルチシートに現地で孔をあける器具も製品化されているが、マルチシートの所定位置を円形に切り取るものが多い。円形に切り取る場合には、雑草が生えやすくなるという課題が解決されないだけでなく、あけるたびに切り取った円形のマルチシートの片を処理しなければならず作業の手間が増加するという課題も有する。
円形のマルチシート片の処理に対しては、マルチシートの切断片回収機能を備えた器具が開示されている（特開平０８−２８９６７２号公報）。
さらに、円形のマルチシート片が発生しない構造として、十字に切断する器具も開発されている。このような器具を用いると、円形のマルチシート片が発生しないだけでなく、植え付けた苗が小さい段階でも苗周辺がマルチシートで被われるので雑草が生えにくくなるという効果を有する。しかし、この器具は、その構造が複雑であるために比較的値段が高いことや全体の重量が重いという課題も有する（特開２００２−１５９２２７号公報）。
【先行技術文献】
【特許文献】
【０００３】
【特許文献１】特開２００２−１５９２２７号公報
【特許文献２】特開平０８−２８９６７２号公報
【考案の概要】
【考案が解決しようとする課題】
【０００４】
従来の円形孔あきシートでは、畝上で苗を植えたい位置とマルチシートの孔あき位置とが必ずしも一致しないために使いにくいことや孔あき部から雑草が生えやすいという課題を有する。孔なしのマルチシートを用いて、必要とする箇所に穴をあけるマルチシート孔開け器も製品化されているが、円形状にあける器具が多く、雑草が生えやすいという課題は解決されない。さらに、十字形状にマルチシートを切断するのみの器具も製品化されているが、構造が複雑で値段が高いという課題を有している。
【０００５】
本考案は、上記従来の課題を解決し、かつ切断したときのマルチシート片が発生せず、しかも十字形状に切断するときの切断形状を容易に可変できるような構造としながら、かつ安価なマルチシート孔あけ器を提供することを目的とする。
【課題を解決するための手段】
【０００６】
上記課題を解決するために、本考案のマルチシート孔あけ器は、支柱と、この支柱の先端部から他端部方向に向かって連続的に支柱の中心軸から外方に広がる形状の切刃を有し支柱に固定された内側固定刃と、この内側固定刃の切刃に対向する位置に切刃を有し、内側固定刃の所定位置を支点として回動可能に保持された外側回動刃とからなる一対のシート切刃と、外側回動刃を所定の回動位置で固定するための回動刃固定部とを有し、一対のシート切刃が複数個、支柱の円周上に配置され、複数の外側回動刃が回動固定部により所定の回動位置で固定した状態でマルチシートに線状の切断部を形成する構成からなる。
この場合において、支柱の柄部分に固定保持するための円形ハンドルをさらに設けた構成としてもよい。また、支柱が伸縮棒からなる構成としてもよい。さらに、支柱の回動固定部近傍の表面に、外側回動刃の回動角度を示す目盛を設けてもよい。
【考案の効果】
【０００７】
本考案のマルチシート孔あけ器は、先端部の中心軸に固定された内側固定刃が中心軸から外方に広がる方向にマルチシートを切断し、外側回動刃が外方から中心軸方向にマルチシートを切断し、両者が対向するように配置されているので、最終的には同一の切断線を構成する。このような一対のシート切刃が複数個配置されているので、複数の切断部を形成できる。このため、従来の円形状にあける場合に比べて雑草が生えにくく、かつ器具の構造も簡単で安価に作製できる。
【図面の簡単な説明】
【０００８】
【図１】本考案の実施例１に基づくマルチシート孔あけ器を説明するための図で、（ａ）は小形状の切断部を形成する場合のマルチシート孔あけ器の斜視図、（ｂ）はこのマルチシート孔あけ器を用いてマルチシートに線状の切断をした状態を示す図である。
【図２】同実施例のマルチシート孔あけ器を説明するための図で、（ａ）は大形状の切断部を形成する場合のマルチシート孔あけ器の斜視図、（ｂ）はこの状態のマルチシート孔あけ器を用いてマルチシートに線状の切断をした状態を示す図である。
【図３】本考案の実施例２に基づくマルチシート孔あけ器の斜視図である。
【考案を実施するための形態】
【０００９】
以下、本考案の実施の形態を実施例に基づき説明する。
【実施例１】
【００１０】
以下、本考案の実施例１のマルチシート孔あけ器について図面を参照しながら詳細に説明する。図１は、本考案の実施例１に基づくマルチシート孔あけ器を説明するための図で、（ａ）は小形状の切断部を形成する場合のマルチシート孔あけ器の斜視図、（ｂ）はこのマルチシート孔あけ器を用いてマルチシートに線状の切断をした状態を示す図である。図２は、同実施例のマルチシート孔あけ器を説明するための図で、（ａ）は大形状の切断部を形成する場合のマルチシート孔あけ器の斜視図、（ｂ）はこの状態のマルチシート孔あけ器を用いてマルチシートに線状の切断をした状態を示す図である。
図１及び図２から示されるように、本考案のマルチシート孔あけ器は、支柱１と、この支柱１の先端部１ａから他端部方向に向かって連続的に支柱１の中心軸から外方に広がる形状の切刃３ａを有し支柱１に固定された内側固定刃３と、この内側固定刃３の切刃３ａに対向する位置に切刃４ａを有し、内側固定刃３の所定位置３ｂを支点として回動可能に保持された外側回動刃４とからなる一対のシート切刃５と、外側回動刃４を所定の回動位置で固定するための回動刃固定部７とを有し、一対のシート切刃５が複数個、支柱１の円周上に配置され、複数の外側回動刃４が回動固定部７とを有し、一対のシート切刃５が複数個、支柱１の円周上に配置され、複数の外側回動刃４が回動固定部７により所定の回動位置で固定した状態でマルチシートに線状の切断部を形成する構成からなる。なお、支柱１には、作業を容易にするために柄２が設けられている。
本実施例においては、一対のシート切刃５が支柱１の円周上にほぼ等分す
るように３個配置されている。そして、一対のシート切刃５の外側回動刃６には、外方側に調整棒６の一端部を固定する固定部４ｂが設けられ、調整棒６の他端部は回動固定部７に固定されている。このような形状とすることにより、回動固定部７を上下させることで外側回動刃４は開いたり閉じたりすることができる。
図１（ａ）は、外側回動刃４の開き具合が小さい場合であり、このような状態で回動固定部７を固定してマルチシート８にマルチシート孔あき器を突き刺せば、図１（ｂ）に示すような３本の線状の切断部８ａが得られる。
苗を植えるときには、切断部８ａを拡げれば容易に植えることができ、かつ苗が大きくなるまでは切断部８ａを閉じた状態にしておけば太陽光は地面には届かないので雑草が生えるのを有効に防ぐことができる。
図２（ａ）は、外側回動刃４の開き具合を大きくした場合であり、このような状態で回動固定部７を固定してマルチシート８にマルチシート孔あき器を突き刺せば、図２（ｂ）に示すような３本の線状の切断部８ａが得られる。図２に示す場合には、比較的大きな苗を植え付けるときに有効である。苗を植えるときには、切断部８ａを拡げれば容易に植えることができ、かつ苗が大きくなるまでは切断部８ａを閉じた状態にしておけば太陽光は地面には届かないので雑草が生えるのを有効に防ぐことができる。
なお、回動固定部７を支柱１に固定する方法としては、通常の手段を適用することができる。例えば、一般に使われているロッドの調整機構等を使うこともできる。これは支柱１の外形状と回動固定部７の内形状とをそれぞれ真円から少しずれた形状、すなわち楕円形状とし、回動固定刃７をひねって回転させることにより、競り合い摩擦で固定する構造である。このような構造を用いてもよいし、回動固定刃７と支柱１にネジ溝を形成しておき、ネジ固定するような構成としてもよい。
【実施例２】
【００１１】
図３は、本考案の実施例２に基づくマルチシート孔あけ器の斜視図である。本実施例においては、マルチシート孔あけ器の構造については実施例１と同様であり、同一の符号を付しているので説明を省略する。本実施例では、柄２に円形ハンドル９を固定していることが特徴である。円形ハンドル９は、柄２に対して強く固定しているので、ハンドル部分である円形状部分を押していけば、柄２をとおして支柱１に力が加わり、マルチシートを切断することができる。このように円形ハンドル９を取り付けることにより、畝の横からでも必要とする位置のマルチシートに切断部を容易に形成できる。
【００１２】
なお、本考案は上記実施例に限定されるものではない。例えば、支柱の回動固定部近傍の表面に、外側回動刃の回動角度を示す目盛を設けてもよい。このような目盛を設けることで、マルチシートに形成する切断部の大きさを予め容易に設定することができる。
さらに、支柱として伸縮棒を用いてもよい。このような伸縮棒を支柱として用いれば、背の高い人や低い人など、どのような人であっても自分に最適な長さの支柱とすることができるので、作業効率を向上することができる。
【産業上の利用可能性】
【００１３】
本考案は、人手によるマルチシートの孔あけ作業やこれを使ったマルチシートでの草抜き等、農作業の分野に有用である。
【符号の説明】
【００１４】
１  支柱
１ａ  先端部
２  柄  
３  内側固定切刃
３ａ、４ａ  切刃
３ｂ  所定位置
４ｂ  固定部
４  外側回動刃
５  一対のシート切り刃
６  調節棒
７  回動固定部
８  マルチシート
８ａ  切断部
９  円形ハンドル
【図１】
0003197381.tif 000003
【図２】
0003197381.tif 000004
【図３】
0003197381.tif 000005